(57)【要約】【課題】電子カメラを用いて動画像を撮影する場合、ズームやフォーカスのレンズ駆動音が記録されない雑音の少ない動画を記録することができる撮像装置を提供する。【解決手段】電子カメラにおいて、特殊効果モードとして、スナップ動画モードを設けて、スナップ動画モードでの動画撮影では、ズーム動作が行われている期間は自動的に動画記録を中断することにより、ズームやフォーカスのレンズ駆動音が記録されない雑音の少ない動画を記録することができる。また、スナップ動画モードでの動画撮影では、ズーム動作中の画像が記録されないので、ホームページへの掲載や動画共有サイトへの投稿に適したコンパクトな動画ファイルにすることができる。【選択図】図２
2011055086.tif 000002
【特許請求の範囲】
【請求項１】
レンズを介して被写界像を撮像素子に結像して撮像信号を生成する撮像手段と、
該被写界像に対して光学的なズーム処理を施すズーム手段と、
前記ズーム手段のズーム倍率を変更するズーム操作手段と、
動画像記録指示に応じて前記撮像信号を基に得られる画像データを記録媒体に記録する記録処理を実行する記録手段と、
前記ズーム倍率を変更しているズーム期間に前記記録処理を停止する記録制御手段を備えることを特徴とする撮像装置。
【請求項２】
前記記録制御手段に基づく動画記録の開始時および前記ズーム期間の終了時のみ、前記レンズの前記撮像素子に対する相対位置を調整してフォーカスを調整するフォーカス手段を備えることを特徴とする請求項１記載の撮像装置。
【請求項３】
レンズを介して被写界像を撮像素子に結像して撮像信号を生成する撮像手段と、
該被写界像に対して光学的なズーム処理を施すズーム手段と、
前記ズーム手段のズーム倍率を変更するズーム操作手段と、
動画像記録指示に応じて前記撮像信号を基に得られる画像データを記録媒体に記録する記録処理を実行する記録手段と、
前記ズーム倍率を変更しているズーム期間に前記記録処理を停止する第１の記録制御手段と、
前記ズーム期間に係わらず前記記録処理を実行する第２の記録制御手段と、
前記第１および第２の記録制御手段の前記記録手段に対する制御を択一的に切替える制御切替手段を備えることを特徴とする撮像装置。
【請求項４】
前記第１の記録制御手段に基づく動画記録の開始時および前記ズーム期間の終了時のみ、前記レンズの前記撮像素子に対する相対位置を調整してフォーカスを調整する第１のフォーカス手段と、
前記第２の記録制御手段に基づく動画記録の期間は、連続的に前記レンズの前記撮像素子に対する相対位置を調整してフォーカスを調整する第２のフォーカス手段と、
前記第１および第２のフォーカス手段を択一的に切替えるフォーカス切替手段を備えることを特徴とする請求項３記載の撮像装置。
【発明の詳細な説明】
【技術分野】
【０００１】
本発明は、撮像装置に関し、特に動画記録機能を備えるディジタルカメラ等の電子カメラに関する。
【背景技術】
【０００２】
従来、電子カメラにおいて、動画撮影中にズーム動作を行うとズームやフォーカスのレンズ駆動音が雑音として記録される可能性があった。また、電子カメラの動画撮影では、ズーム動作は撮影対象の画角を設定するための手段であって、画角が確定した後に撮影を開始する場合も多いと考えられる。
【０００３】
そこで、カメラのズーム動作中に合わせて動きの評価値を最小ブロックサイズにすることにより、符号化効率を高める装置の一例が特許文献１に開示されている。
【特許文献１】特開２００７−２２８１０１号公報
【発明の概要】
【発明が解決しようとする課題】
【０００４】
特許文献１においては、カメラのズーム動作中に合わせて動きの評価値を最小ブロックサイズにすることにより、符号化効率を高める技術が開示されている。しかしながら、電子カメラにおいて、動画撮影中にズーム動作が行われている期間は自動的に動画記録を中断する内容について、特許文献１には何ら開示されていない。
【０００５】
本発明は上記の問題を解決するもので、電子カメラにおいて、動画撮影中にズーム動作が行われている期間は自動的に動画記録を中断し、ズームやフォーカスのレンズ駆動音である雑音が記録されない動画記録手段を提供するものである。
【課題を解決するための手段】
【０００６】
第一の発明の記録制御手段は、レンズを介して被写界像を撮像素子に結像して撮像信号を生成する撮像手段と、該被写界像に対して光学的なズーム処理を施すズーム手段と、前記ズーム手段のズーム倍率を変更するズーム操作手段と、動画像記録指示に応じて前記撮像信号を基に得られる画像データを記録媒体に記録する記録処理を実行する記録手段と、前記ズーム倍率を変更しているズーム期間に前記記録処理を停止する記録制御手段を備えることを特徴とする。
【０００７】
第二の発明のフォーカス手段は、前記記録制御手段に基づく動画記録の開始時および前記ズーム期間の終了時のみ、前記レンズの前記撮像素子に対する相対位置を調整してフォーカスを調整するフォーカス手段を備えることを特徴とする。
【０００８】
第三の発明の切替手段は、レンズを介して被写界像を撮像素子に結像して撮像信号を生成する撮像手段と、該被写界像に対して光学的なズーム処理を施すズーム手段と、前記ズーム手段のズーム倍率を変更するズーム操作手段と、動画像記録指示に応じて前記撮像信号を基に得られる画像データを記録媒体に記録する記録処理を実行する記録手段と、前記ズーム倍率を変更しているズーム期間に前記記録処理を停止する第１の記録制御手段と、前記ズーム期間に係わらず前記記録処理を実行する第２の記録制御手段と、前記第１および第２の記録制御手段の前記記録手段に対する制御を択一的に切替える制御切替手段を備えることを特徴とする。
【０００９】
第四の発明の切替手段は、前記第１の記録制御手段に基づく動画記録の開始時および前記ズーム期間の終了時のみ、前記レンズの前記撮像素子に対する相対位置を調整してフォーカスを調整する第１のフォーカス手段と、前記第２の記録制御手段に基づく動画記録の期間は、連続的に前記レンズの前記撮像素子に対する相対位置を調整してフォーカスを調整する第２のフォーカス手段と、前記第１および第２のフォーカス手段を択一的に切替えるフォーカス切替手段を備えることを特徴とする。
【発明の効果】
【００１０】
以上述べた本発明によれば、電子カメラにおいて、動画撮影中にズーム動作が行われている期間は自動的に動画記録を中断することにより、ズームやフォーカスのレンズ駆動音が記録されない雑音の少ない動画を記録することができる。
【図面の簡単な説明】
【００１１】
【図１】本発明の一実施例である電子カメラの外観を示す外観図である。
【図２】本発明の一実施例である電子カメラの構成を示すブロック図である。
【図３】本発明の一実施例である動作の一例の一部を示すフロー図である。
【図４】本発明の一実施例である動作の一例の一部を示すフロー図である。
【図５】本発明の一実施例である動作の一例を示すフロー図である。
【図６】本発明の一実施例である動画撮影モード設定メニュー表示の一例を示す図解図である。
【発明を実施するための形態】
【００１２】
以下の実施例を、撮像装置の１つの例として、電子カメラ１０の形態を図面を参照しながら説明する。
【００１３】
電子カメラ１０の外観図を図１に示す。図１の電子カメラ１０は、少なくとも図示しない撮像部、操作部２、表示部４、マイク部６、およびスピーカ部８を備える。撮像部では撮像動作が行われる。操作部２を構成する２ａ〜２ｈを詳しく説明すると、２ａは撮像動作を指示するシャッタボタン、２ｂは画像を拡大させるＴＥＬＥボタン、２ｃは画像を縮小させるＷＩＤＥボタンである。画像を拡大、縮小させるズーム処理は、図２のＣＰＵ３６の制御に基づいてドライバ２５及び撮像レンズ２２によって実現される。
【００１４】
この場合、ユーザがＴＥＬＥボタン２ｂに圧力を付与することによってＴＥＬＥボタン２ｂを押し下げればズーム倍率の可変範囲内においてズーム倍率は増大し、ユーザがＷＩＤＥボタン２ｃに圧力を付与することによってＷＩＤＥボタン２ｃを押し下げればズーム倍率の可変範囲内においてズーム倍率は減少する。ズーム倍率の増大量又は減少量は、ＴＥＬＥボタン２ｂ又はＷＩＤＥボタン２ｃを押し下げている時間の長さに比例する。即ち、ＴＥＬＥボタン２ｂを押し下げている時間の長さが増加するに伴ってズーム倍率の増大量は増加し、ＷＩＤＥボタン２ｃを押し下げている時間の長さが増加するに伴ってズーム倍率の減少量は増加する。
【００１５】
２ｄは再生モードボタンであり、押下されると電子カメラは再生モードに移行する。同様に、２ｆは静止画撮像モードボタン、２ｅは動画撮像モードボタンであり、押下されると電子カメラはそれぞれのモードに移行する。２ｇは４方向に操作されることにより表示部４内に表示される項目等を選択指示するカーソルキーであり、４方向の中心部が押下されることにより、項目等を決定することができる。そして、２ｈは表示部４に、選択可能な項目等を表示させるメニューボタンである。
【００１６】
さらに図１で示した電子カメラ１０内部のブロック図である図２を用いて電子カメラ１０を更に詳細に説明する。電子カメラ１０は、操作部２、表示部４、マイク部６、スピーカ部８、撮像レンズ２２、絞り機構２４、ドライバ２５、ＣＣＤイメージャ２６、撮像処理部２８、ＳＤＲＡＭ３０、ビデオエンコーダ３２、メニュー切替スイッチ３４、ＣＰＵ３６、ＡＦ処理部３８、圧縮・伸張処理部４０、スピーカアンプ４２、カード制御部４４、音声処理部４８、画像用Ｄ／Ａ変換回路５０、データ処理部５２、フラッシュメモリ５６および音声用Ｄ／Ａ変換回路５８を備えて構成されている。
【００１７】
撮像レンズ２２は、被写体の光学像を撮像デバイスであるＣＣＤイメージャ２６の撮像面上に結像させる。また、撮像レンズ２２はＣＣＤイメージャ２６の出力信号に基づいて光軸方向の移動が調節される。絞り機構２４は、制御されることにより撮像レンズ２２よりＣＣＤイメージャ２６に入る光を調節する。更に、撮像レンズ２２は画像を拡大、縮小させるズーム機構を備えている。これらの撮像レンズ２２、および絞り機構２４の調節はドライバ２５で行われる。
【００１８】
ＣＣＤイメージャ２６から出力されたアナログ撮像信号は、撮像処理部２８によって色分離、白バランス調整、ＹＵＶ変換等の所定の処理が行われ、輝度信号であるＹ信号および色差信号であるＵ、Ｖ信号に変換される。
【００１９】
ＣＰＵ３６は、操作部２、ドライバ２５、撮像処理部２８、ＳＤＲＡＭ３０、メニュー切替スイッチ３４、ＡＦ処理部３８、圧縮・伸張処理部４０、スピーカアンプ４２、カード制御部４４、音声処理部４８、画像用Ｄ／Ａ変換回路５０、データ処理部５２、フラッシュメモリ５６および音声用Ｄ／Ａ変換回路５８に接続される。ＣＰＵ３６は、フラッシュメモリ５６に格納されているプログラムに従って、撮像処理部２８、ＳＤＲＡＭ３０、圧縮・伸張処理部４０、スピーカアンプ４２、カード制御部４４、音声処理部４８、画像用Ｄ／Ａ変換回路５０、データ処理部５２、および音声用Ｄ／Ａ変換回路５８の制御を行う。
【００２０】
次に、操作部２が操作されることによる電子カメラ１０の動作の説明をする。
【００２１】
上述したように、操作部２は、各種ボタンまたはキー２ａ〜２ｈで構成される。ＣＰＵ３６は静止画撮像モードボタン２ｆが押下されることによって静止画撮像モード状態にあるとき、シャッタボタン２ａが押下されることによって静止画撮像操作がなされる。そして、１フレーム分の被写体の光学像が撮像レンズ２２、絞り機構２４、ＣＣＤイメージャ２６、撮像処理部２８によって所定の処理がなされ、撮像処理部２８によって得られたＹ、Ｕ、Ｖ信号であるディジタル画像データがＳＤＲＡＭ３０に一旦格納される。
【００２２】
その後、一旦格納された１フレーム分のディジタル画像データは、圧縮・信号処理部４０、ここではＪＰＥＧコーデックによって、ＪＰＥＧ形式で圧縮される。圧縮された圧縮ディジタル画像データは再びＳＤＲＡＭ３０に格納される。
【００２３】
また、データ処理部５２にて、一旦格納された１フレーム分のディジタル画像データから縮小処理によりサムネイルデータが生成され、ＳＤＲＡＭ３０に格納され、圧縮・伸張処理部４０にて、ＪＰＥＧコーデックによってＪＰＥＧ圧縮される。圧縮された圧縮サムネイルデータは、再びＳＤＲＡＭ３０に格納される。
【００２４】
そして、圧縮ディジタル画像データおよび圧縮サムネイルデータは、ＣＰＵ３６が１つの静止画像ファイルとしてカード制御部４４を制御することによって外部メモリカード４６に記録される。
【００２５】
ＡＦ処理部３８では、撮像処理部２８で生成されたＹデータの高域周波数成分を１フレーム毎に積分する。積分結果つまりフォーカス評価値はＣＰＵ３６によって取り込まれ、ＣＰＵ３６は取り込んだフォーカス評価値に基づいてドライバ２５を制御する。この結果、フォーカス評価値が最大になるように、光学レンズ２２の光軸方向の位置が調整される。このとき、主要被写体が撮影画面の中央付近にある場合が多いため、評価エリアは中央部に重点がおかれる。
【００２６】
また、ＣＰＵ３６は動画撮像モードボタン２ｅが押下されることによって動画撮像モード状態にあるとき、シャッタボタン２ａが押下されることによって動画撮像操作がなされる。シャッタボタン２ａが再び押下され動画撮像が終了するまで、動画像処理が実行される。この動画像処理は例えば１秒間に３０フレーム分の静止画撮像処理を連続的に行うことと同様の処理であり、Ｙ、Ｕ、Ｖ信号であるディジタル画像データが動画撮像時間分だけＳＤＲＡＭ３０に一旦格納するまでの処理が行われる。
【００２７】
そして、動画像撮像終了の操作がなされると、ＳＤＲＡＭ３０に格納されている連続した複数のディジタル画像データが画像圧縮・伸張処理部３４にて、ここではＭｏｔｉｏｎＪＰＥＧコーデックによって動画圧縮され、再びＳＤＲＡＭ３０に格納される。
【００２８】
更に、動画撮影モードにあるとき、ＣＰＵ３６は操作部２のシャッタボタン２ａが押下されることによって音声記録操作を行う。つまり、マイク部６から音声信号を取り込み、音声処理部４８によって音声信号を増幅しディジタル音声データに変換する。ディジタル音声データは圧縮・伸張処理部４０にて圧縮され、ＳＤＲＡＭ３０に格納される。動画像撮影修了の操作がなされるまで、圧縮された音声データがＳＤＲＡＭ３０に格納される。
【００２９】
次に、圧縮された連続した複数の圧縮画像データおよび圧縮された音声データは、１つの動画ファイルとしてカード制御部４４が制御されることによって外部メモリカード４６に記録される。
【００３０】
再生モードボタン２ｄが押下されると、外部メモリカード４６に記録された最新の静止画像ファイルまたは動画像ファイルが再生される。
【００３１】
具体的には、静止画像ファイルが再生される場合、ＣＰＵ３６は、カード制御部４４を制御して、外部メモリカード４６に記録されている静止画像ファイルの圧縮画像データをＳＤＲＡＭ３０に一旦格納させる。ＳＤＲＡＭ３０に格納された圧縮画像データは、圧縮・伸張処理部４０にて、ＪＰＥＧコーデックにより伸張処理される。伸張処理されたディジタル画像データは、ＳＤＲＡＭ３０に一旦格納され、画像用Ｄ／Ａ変換回路５０によりアナログ画像信号に変換される。ビデオエンコーダ３２は、画像用Ｄ／Ａ変換回路５０からのアナログ画像データを基に映像信号に変換し、表示部４において変換された映像信号を表示する。
【００３２】
動画像ファイルを再生する場合は、ＣＰＵ３６は、カード制御部４４を制御して、外部メモリカード４６に記録されている動画像ファイルの複数の圧縮画像データをＳＤＲＡＭ３０に一旦格納させる。ＳＤＲＡＭ３０に格納された複数の圧縮画像データは、画像圧縮・伸張処理部４０にて、ＭｏｔｉｏｎＪＰＥＧコーデックにより伸張処理される。伸張処理された複数のディジタル画像データは、ＳＤＲＡＭ３０に一旦格納され、時系列に画像用Ｄ／Ａ変換回路５０によりアナログ画像信号に変換される。ビデオエンコーダ３２は、画像用Ｄ／Ａ変換回路５０からのアナログ画像データを基に映像信号に変換し、表示部４において変換された映像信号を表示する。
【００３３】
更に、外部メモリカード４６に記録された動画ファイルの中の音声データは、圧縮・伸張処理部４０で伸張処理される。伸張処理されたディジタル音声データはＳＤＲＡＭ３０に格納される。その後、ＳＤＲＡＭ３０に格納された音声データはＤ／Ａ変換回路５８によりアナログ音声信号に変換される。アナログ音声信号はスピーカアンプ４２にてアンプ処理され、映像信号の表示と同期をとりながらスピーカ部８に出力される。
【００３４】
次にＣＰＵ３６が行う処理を図３乃至図６を用いて詳述する。
【００３５】
まず、図５を参照して、動画撮影モード設定処理を説明する。
【００３６】
メニューボタン２ｈが押下され、カーソルキー２gの操作と決定操作つまりカーソルキー２gの中央部が押下されることに基づいて、動画撮影モードが設定されると、ステップＳ３０２へ進み、図６に示すようなモード設定メニューが表示部４に表示される。
【００３７】
ステップＳ３０４において、図６に示すようなモード設定メニューから、カーソルキー２gの操作と決定操作つまりカーソルキー２gの中央部が押下されることに基づいて、通常動画またはスナップ動画が設定される。そして、動画撮影モード設定処理を終了する。
【００３８】
次に、図３を参照して、動画撮影処理を説明する。
【００３９】
ＣＰＵ３６はステップＳ１０２において、シャッタボタン２ａが押下されたか否かを判断する。ステップＳ１０２にてＮＯと判断した場合、ステップＳ１０２へ戻る。また、ステップＳ１０２にてＹＥＳと判断した場合、ステップＳ１０４へ進み、ステップＳ１０４では動画撮影モードとして、「スナップ動画モード」または「通常動画モード」のいずれが設定されたかを判断する。
【００４０】
ステップＳ１０４において、「通常動画モード」が設定されていると判断した場合、図４のステップＳ２０２へ進む。ステップＳ２０２については後述する。
【００４１】
ステップＳ１０４において、「スナップ動画モード」が設定されていると判断した場合、ステップＳ１０６へ進み、ＡＦ処理部３８において、撮像処理部２８で生成されたＹデータの高域周波数成分を１フレーム毎に積分する。積分結果つまりフォーカス評価値はＣＰＵ３６によって取り込まれ、ＣＰＵ３６は取り込んだフォーカス評価値に基づいてドライバ２５を制御する。この結果、フォーカス評価値が最大になるように、光学レンズ２２の光軸方向の位置が調整される。このように、ＣＰＵ３６がドライバ２５を制御することによって、現在の被写体に対して１シーケンスのみのシングルオートフォーカス処理を実行する。つまり、１シーケンスのみのオートフォーカス処理とは複数フレームの画像からフォーカス評価値が最大になるように、１回だけ光学レンズ２２の光軸方向の位置が調整されることである。次にステップＳ１０８へ進み、動画撮影処理を開始させる。
【００４２】
そして、ステップＳ１１０へ進み、画像を拡大させるＴＥＬＥボタン２ｂ、または画像を縮小させるＷＩＤＥボタン２ｃが押下されたか否か、つまりズーム動作が開始されたか否かを判断する。ステップＳ１１０にてＮＯと判断した場合、ステップＳ１２０へ進み、動画撮影開始と停止を兼用しているシャッタボタン２ａが押下されたか否か、つまり動画撮影が停止されたか否かを判断する。
【００４３】
また、ステップＳ１１０において、ＹＥＳと判断した場合、ステップＳ１１２へ進み、動画撮影処理の一時停止を行う。つまり、動画撮影処理の一時停止とは、撮像処理部２８によって得られたＹ、Ｕ、Ｖ信号であるディジタル画像データをＳＤＲＡＭ３０に格納することを一時停止することである。更に、マイク部６によって得られた音声信号であるディジタル音声データをＳＤＲＡＭ３０に格納することも一時停止することである。
【００４４】
その後、ステップＳ１１４へ進み、ズーム動作が終了されたか否かを判断する。ステップＳ１１４にてＮＯと判断した場合、ステップＳ１１４へ戻り、動画撮影処理の一時停止が継続される。
【００４５】
ステップＳ１１４にてＹＥＳと判断した場合、ステップＳ１１６へ進み、ＣＰＵ３６がドライバ２５を制御することによって、現在の被写体に対して１シーケンスのみのシングルオートフォーカス処理を実行する。その後の動画撮影においては、撮影シーンが変化してもズーム動作をしない限りオートフォーカス処理は実行されない。
【００４６】
そして、ステップＳ１１８へ進み、動画撮影処理を再開する。つまり、動画撮影処理の再開とは、撮影処理の再開後のディジタル画像データおよび音声データを、一時停止により一旦ＳＤＲＡＭ３０に格納されていたディジタル画像データおよび音声データの中の最後のデータに接続させて、ＳＤＲＡＭ３０に格納することである。
【００４７】
次に、ステップＳ１２０へ進み、動画撮影開始と停止を兼用しているシャッタボタン２ａが押下されたか否か、つまり動画撮影が停止されたか否かを判断する。
【００４８】
ステップＳ１２０にてＮＯと判断した場合、ステップＳ１１０へ戻る。ステップＳ１２０にてＹＥＳと判断した場合、ステップＳ１２２へ進み、動画撮影処理および音声記録が停止される。その後、ステップＳ１２４へ進み、ＳＤＲＡＭ３０に格納されている圧縮された複数の圧縮画像データおよび音声データは、１つの動画ファイルとしてカード制御部４４を制御することによって外部メモリカード４６に記録される。そして、スナップ動画撮影処理が終了される。
【００４９】
また、ステップＳ１０４において、「通常動画モード」が設定されていると判断した場合、図４のステップＳ２０２へ進む。ステップＳ２０２では、ＡＦ処理部３８において、撮像処理部２８で生成されたＹデータの高域周波数成分を１フレーム毎に積分する。積分結果つまりフォーカス評価値はＣＰＵ３６によって取り込まれ、ＣＰＵ３６は取り込んだフォーカス評価値に基づいてドライバ２５を制御する。この結果、フォーカス評価値が最大になるように、光学レンズ２２の光軸方向の位置が調整される。このように、ＣＰＵ３６がドライバ２５を制御することによって、被写体に対して連続的にオートフォーカス処理を実行する。つまり、連続的なオートフォーカス処理とは、連続的に取り込んだ複数フレームの画像からフォーカス評価値が最大になるように、連続的に光学レンズ２２の光軸方向の位置が調整されることである。次にステップＳ２０４へ進み、動画撮影処理を開始させる。
【００５０】
次にステップＳ２０６へ進み、画像を拡大させるＴＥＬＥボタン２ｂ、または画像を縮小させるＷＩＤＥボタン２ｃが押下されたか否か、つまりズーム動作が開始されたか否かを判断する。ステップＳ１１０へ進み、画像を拡大させるＴＥＬＥボタン２ｂ、または画像を縮小させるＷＩＤＥボタン２ｃが押下されたか否か、つまりズーム動作が開始されたか否かを判断する。Ｓ２０６にてＮＯと判断した場合、ステップＳ２１０へ進み、動画撮影開始と停止を兼用しているシャッタボタン２ａが押下されたか否か、つまり動画撮影が停止されたか否かを判断する。
【００５１】
ステップＳ２０６において、ＹＥＳと判断した場合、ステップＳ２０８へ進み、ズーム動作が終了されたか否かを判断する。ステップＳ２０８にてＮＯと判断した場合、ステップＳ２０８へ戻る。ステップＳ２０８において、ＹＥＳと判断した場合、ステップＳ２１０へ進み、画撮影開始と停止を兼用しているシャッタボタン２ａが押下されたか否か、つまり動画撮影が停止されたか否かを判断する。
【００５２】
ステップＳ２１０にてＮＯと判断した場合、ステップＳ２０６へ戻る。ステップＳ２１０にてＹＥＳと判断した場合、ステップＳ２１２へ進み、ＣＰＵ３６がドライバ２５を制御することによって、被写体に対して連続的に実行されていたオートフォーカス処理を停止する。
【００５３】
次に、ステップＳ２１４へ進み、動画撮影処理および音声記録が停止される。その後、ステップＳ２１６へ進み、ＳＤＲＡＭ３０に格納されている圧縮された複数の圧縮画像データおよび音声データは、１つの動画ファイルとしてカード制御部４４を制御することによって外部メモリカード４６に記録される。そして、通常動画撮影処理が終了される。
【００５４】
以上のように、電子カメラにおいて、「スナップ動画モード」での動画撮影では、ズーム動作が行われている期間は自動的に動画記録を中断する。更に、動画撮影開始時、及びズーム動作終了時のみ、１シーケンスのオートフォーカス処理を実行することにより、ズームやフォーカスのレンズ駆動音が記録されない雑音の少ない動画を記録することができる。
【００５５】
また、「スナップ動画モード」での動画撮影では、ズーム動作中の画像が記録されないので、ホームページへの掲載や動画共有サイトへの投稿に適したコンパクトな動画ファイルとなる。
【００５６】
更に、「スナップ動画モード」での動画撮影では、まず広角側で主要被写体が含まれる全体の風景を捕らえ、その後ズーミングして主要被写体をアップで撮影した場合を考えると、撮影された画像としては、まずワイドの風景が数秒記録され、その後瞬時にアップの画像に切り替わると特殊効果を有する動画像となる。
【００５７】
なお、上述した実施例では、撮像素子としてＣＣＤイメージャを用いて説明したが、これに限定されるものではなく、例えばＣＭＯＳセンサーなど他の撮像素子でも同様の構成が可能である。
【００５８】
また、上述した実施例では、動画像の圧縮・伸張コーデックとして、ＭｏｔｉｏｎＪＰＥＧコーデックを用いて説明したが、これに限定されるものではなく、例えばＭＰＥＧコーデックなど他のコーデックでも同様の構成が可能である。更に、上述した実施例では、記録媒体として外部メモリカードを記載したが、例えば、内蔵のハードディスクなど他の記録媒体であっても良い。
【００５９】
更に、レンズを固定してＣＣＤイメージャを光軸方向に変位させることにより、ズーム処理、ＡＦ処理が可能な電子カメラであっても良い。
【符号の説明】
【００６０】
２      …操作部
４      …表示部
１０    …電子カメラ
３０    …ＳＤＲＡＭ
３２    …ビデオエンコーダ
３６    …ＣＰＵ
４０    …圧縮・伸張処理部
４４    …カード制御部
４６    …外部カードメモリ
５０    …画像用Ｄ／Ａ変換回路
５２    …データ処理部
５６    …フラッシュメモリ
５８    …音声用Ｄ／Ａ変換回路
【図１】
2011055086.tif 000003
【図２】
2011055086.tif 000004
【図３】
2011055086.tif 000005
【図４】
2011055086.tif 000006
【図５】
2011055086.tif 000007
【図６】
2011055086.tif 000008